(57)【要約】【課題】オフィスでパソコンを使わない際も机の上の一定面積をパソコンが占有することが多い。また、喫茶店等において顧客に飲食とパソコンの時間貸しサービスを共に提供したい場合、既存のスペースのままでは飲食を提供する際に卓上のパソコンが邪魔になることがある。したがって、机においてパソコンを使わずにしかも机の上をパソコンが占有しない状態とパソコンが使える状態を、手間と時間を伴わずしかも瞬時に切り替える方法が求められる。【解決手段】本発明は天板と脚部を備えた机において、天板の上側に薄型モニターと水平方向の形状と大きさが同じ水平方向の凹部を設け、また薄型モニターが水平方向に位置する際に凹部に収容されかつ薄型モニターの背面が天板の上面と同じ高さとなりかつ水平方向に位置するように薄型モニターを天板の上側にヒンジ機構などを介して回動可能に接続して設けた。また、凹部の下方部にキーボードやタッチパネル等のコンピューターの入力装置を設けた。【選択図】図２
2011050728.tif 000002
【特許請求の範囲】
【請求項１】
天板を備えた机であって、天板の上側に、薄型モニターと水平方向の形状と大きさが同一の水平方向の凹部を設けて、前記の薄型モニターが水平方向に位置する際に前記の凹部に収容されかつ薄型モニターの背面が天板の上面と同じ高さとなりかつ水平方向に位置するように前記の薄型モニターを天板の上側にヒンジ機構などを介して回動可能に接続して設けた、ことを特徴とする机。
【請求項２】
請求項１に記載した机であって、前記の凹部の下方部にキーボードやタッチパネル等のコンピューターの入力装置を設けた、ことを特徴とする机。
【請求項３】
天板を備えた机であって、天板の上側に、薄型モニターと水平方向の形状と大きさが同一の水平方向の凹部を設けて、前記の薄型モニターが水平方向に位置する際に前記の凹部に収容されかつ薄型モニターの背面が天板の上面と同じ高さとなりかつ水平方向に位置するように前記の薄型モニターを天板の上側にヒンジ機構などを介して回動可能に接続して設けて、前記の凹部の下方部にキーボードやタッチパネル等のコンピューターの入力装置を設けた、ことを特徴とする机。
【請求項４】
請求項１から請求項３にそれぞれ記載した机であって、天板の内部にコンピューター本体を設けて、コンピューター本体と前記の薄型モニターや前記のコンピューターの入力装置を接続した、ことを特徴とするコンピューター一体型机。
【発明の詳細な説明】
【技術分野】
【０００１】本発明はパソコンを利用するための机に関するものである。
【背景技術】
【０００２】パソコンの小型化、薄型化ならびに軽量化が進んだために、以前と比べると卓上におけるコンピューターの占有面積が少なくなり、また不要な際には退かすことも容易になった。
【発明の概要】
【発明が解決しようとする課題】
【０００３】しかし、パソコンが不要な際に退かす手間と新たに他の場所を占有する問題が残っている。また、オフィスではパソコンを使わない際も同じ机の上に置かざるを得ないケースが多い。その場合は、パソコンを使わない際も机の上の一定の面積をパソコンが占有してしまう。また、顧客にパソコンの時間貸しサービスと他のサービスを両方提供したい場合において、飲食等の他のサービスを提供する際に卓上に設置したパソコンが邪魔になるケースがある。【０００４】したがって、机においてパソコンを使わずにしかも机の上をパソコンが占有しない状態とパソコンが使える状態を、手間と時間を伴わずしかも瞬時に切り替える方法が求められる。
【課題を解決するための手段】
【０００５】本発明は天板と脚部を備えた机において、天板の上側に薄型モニターと水平方向の形状と大きさが同じ水平方向の凹部を設け、また薄型モニターが水平方向に位置する際に凹部に収容されかつ薄型モニターの背面が天板の上面と同じ高さとなりかつ水平方向に位置するように薄型モニターを天板の上側にヒンジ機構などを介して回動可能に接続して設けた。また、凹部の下方部にキーボードやタッチパネル等のコンピューターの入力装置を設けた。また、天板の内部にコンピューター本体を設けて薄型モニターや前記入力装置を接続した。
【発明の効果】
【０００６】本発明により、机においてパソコンを使わずにかつ机の上をパソコンが占有しない状態とパソコンが使える状態を、手間と時間を伴わずしかも瞬時に切り替えることが可能となる。その結果、オフィスにおいて無駄な手間や時間やスペース等を節約することが可能となる。また、本発明による机を喫茶店等で活用すれば、顧客に飲食等を提供する際にモニターとキーボードを容易かつ瞬時にしまえるため、飲食等の他のサービスとパソコンの時間貸しサービスの両方を従来の営業スペースにおいて並行して顧客に提供することが可能となる。
【発明を実施するための形態】
【０００７】図１と図２は本発明の一実施形態を示す斜視図であり、図３と図４はその断面図である。図１はパソコンを使わない状態の机の斜視図であり、天板の上側の手前の中央部において薄型モニターの背面が上を向きかつその高さが天板の高さと同じでありかつ水平な状態になるように、薄型モニターが天板の上側にヒンジ機構を介して回動可能に接続されている。この状態において机の上は水平でありパソコンの機材が存在しないため広々と活用できる。
【０００８】図２はパソコンが使える状態の机の斜視図であり、薄型モニターが回動して起立しており、手前に座るパソコンの利用者から薄型モニターのスクリーンが見やすい状態になっている。また、凹部の下方に設けたキーボードが上方に露出しており利用者が入力操作を行える。また、パソコン本体が机の脚部付近にあり薄型モニターとキーボードとつながっている。
【０００９】図３は前記の実施形態の机における天板を上方から見た断面図であり、天板の右側内部に脚部付近に設けたパソコン本体と薄型モニターとキーボードを接続するケーブルがある。
【００１０】図４は前記の実施形態の机を右側から見た断面図であり、天板と脚部の内部に脚部付近に設けたパソコン本体と薄型モニターとキーボードを接続するケーブルが設けられている。
【００１１】図５と図６は請求項４の一実施形態を示す斜視図であり、図７と図８はその断面図である。図５はパソコンを使わない状態の机の斜視図であり、天板の上側の手前の中央部において薄型モニターの背面が上を向きかつその高さが天板の高さと同じでありかつ水平な状態になるように、薄型モニターが天板の上側にヒンジ機構を介して回動可能に接続されている。また、天板の内部にディスクドライブを設けてあり、その取り出し口が天板の手前にある。
【００１２】図６はパソコンが使える状態の机の斜視図であり、薄型モニターが回動して起立しており、手前に座るパソコンの利用者から薄型モニターのスクリーンが見やすい状態になっている。また、凹部の下方に設けたキーボードが上方に露出しており利用者が入力操作を行える。また、ディスクドライブの取り出し口が開いて前へ出ておりディスクを出し入れできる。
【００１３】図７は前記の実施形態の机における天板を上方から見た断面図であり、天板の左側内部に設けたパソコン本体とディスクドライブと薄型モニターとキーボードがつながっている。
【００１４】図８は前記の実施形態の図６に示した状態における机の天板を上方から見た断面図である。薄型モニターが回動して起立しており、上方に露出したキーボードで入力操作を行える。なお、本発明において天板に設ける凹部は天板を貫通した形状の凹部を含むものとする。
【図面の簡単な説明】
【００１５】
【図１】は本発明の一実施形態による机がパソコンを使用しない状態の斜視図である。
【図２】は本発明の一実施形態による机がパソコンを使用する状態の斜視図である。
【図３】は本発明の一実施形態による机がパソコンを使用しない状態の天板の断面図である。
【図４】は本発明の一実施形態による机がパソコンを使用しない状態の側方断面図である。
【図５】は本発明の請求項４に記載した机がパソコンを使用しない状態の斜視図である。
【図６】は本発明の請求項４に記載した机がパソコンを使用する状態の斜視図である。
【図７】は本発明の請求項４に記載した机がパソコンを使用しない状態の天板の断面図である。
【図８】は本発明の請求項４に記載した机がパソコンを使用する状態の天板の断面図である。
【符号の説明】
【００１６】１  天板２    脚部３    薄型モニター４    パソコン本体５    キーボード６    スクリーン７    薄型モニターとパソコン本体をつなぐケーブル８    キーボードとパソコン本体をつなぐケーブル９    ディスクドライブの取り出し口１０  ディスクドライブ１１  ディスクドライブとパソコン本体をつなぐケーブル
【図１】
2011050728.tif 000003
【図２】
2011050728.tif 000004
【図３】
2011050728.tif 000005
【図４】
2011050728.tif 000006
【図５】
2011050728.tif 000007
【図６】
2011050728.tif 000008
【図７】
2011050728.tif 000009
【図８】
2011050728.tif 000010